(57)【要約】【課題】使い捨て用のごみ収集袋が取り付けられたごみ取り装置が提案されているが、この装置では、ごみが溜まれば袋ごと外して捨て、新しい袋を取り付けるので、ごみ捨てごとにごみ収集袋の着脱作業をする必要があった。しかし、ごみ収集袋の着脱は、手先の器用な人なら容易に出来るものの、一般の人には、ある程度習熟しなければ面倒なことであった。【解決手段】ごみ取り本体２に対し、柄３およびごみ収集袋４を着脱自在に取り付けることにより、ごみ取り装置１を構成する。ごみ取り本体２は、底に大きな開口部２２を開けた形状とし、ごみ収集袋４は、その開口部２２を袋の口が受ける形となるよう下側に取り付ける。ごみ収集袋４の底は開口とし、普段は面ファスナーなどの底閉じ具５で閉じておく。ごみが溜まったところで底閉じ具５を外し、ごみを底の開口から落下させて排出する。【選択図】図１
0003129497.tif 000002
【実用新案登録請求の範囲】
【請求項１】
底の先端にほぼ長方形をした平板状の掃込み案内部と、両端が該掃込み案内部の両端に連結された周壁部と、該周壁部と前記掃込み案内部とで囲まれる底部に開けられた開口部と、前記掃込み案内部および周壁部に設けられた複数個の引っ掛け溝，貫通孔と、前記周壁部の両側部に開けられた係合穴とを具えたごみ取り本体と、
前記引っ掛け溝，貫通孔に着脱自在に係止するための係止片を具え、底が開口底部とされているごみ収集袋と、
紛失しないよう前記ごみ取り本体にひもを介して取り付けられ、前記開口底部の開閉を自在に行うための底閉じ具と、
先端が前記ごみ取り本体の周壁部の係合穴に着脱自在に係合される柄と
から構成されることを特徴とするごみ取り装置。
【請求項２】
ごみ収集袋として商店で買物をした際に貰うレジ袋を利用したことを特徴とする請求項１記載のごみ取り装置。
【考案の詳細な説明】
【技術分野】
【０００１】
本考案は、箒などで掃いて集めたごみを収容するための、ごみ取り装置に関するものである。
【背景技術】
【０００２】
箒などで掃いて集めたごみを捨てるには、従来、次のような手順で捨てていた。
（１）集めたごみを先ずプラスチック製や金属製のごみ取りで取る
（２）ごみ取りで取ったごみを、ごみ箱に入れる
（３）ごみ箱のごみの量がたまったところでごみ袋に移し替え、ごみ捨て場に捨てる
なお、ごみ袋としてはビニール袋がしばしば用いられている。
そして出願人は、このようなごみ取り作業を便にするため、下記の特許文献１に示されるような考案をし、既に実用新案権を得ている。
【特許文献１】実用新案登録第３１２２４９８号公報
【特許文献２】特開２００２−３３０９１０号公報
【考案の開示】
【考案が解決しようとする課題】
【０００３】
本件出願人が考案し実用新案権を得ている前記ごみ取り装置は、着脱自在のごみ収集袋を具えており、その中にごみが溜まればごみ収集袋を外し、袋ごと捨てるという構造のものであった。従って、ごみ収集袋の着脱に慣れてくれば、極めて便利であるが、慣れるまでは着脱に時間がかかるとか、手先があまり器用でない人の場合、なかなかうまく着脱出来ないというような問題点があった。また、一度ごみが満杯になっただけでごみ収集袋を捨ててしまうというのも、資源の節約やリサイクルの観点から好ましくないという問題点があった。
本考案は、このような問題点を解決することを課題とするものである。
【課題を解決するための手段】
【０００４】
前記課題を解決するため、本考案のごみ取り装置は、底の先端にほぼ長方形をした平板状の掃込み案内部と、両端が該掃込み案内部の両端に連結された周壁部と、該周壁部と前記掃込み案内部とで囲まれる底部に開けられた開口部と、前記掃込み案内部および周壁部に設けられた複数個の引っ掛け溝，貫通孔と、前記周壁部の両側部に開けられた係合穴とを具えたごみ取り本体を先ず具える。そして、前記引っ掛け溝，貫通孔に着脱自在に係止するための係止片を具え、底が開口底部とされているごみ収集袋と、紛失しないよう前記ごみ取り本体にひもを介して取り付けられ、前記開口底部の開閉を自在に行うための底閉じ具とを具えると共に、先端が前記ごみ取り本体の周壁部の係合穴に着脱自在に係合される柄とを更に具えた構成とした。
なお、前記ごみ収集袋として、商店で買物をした際に貰うレジ袋を利用することとしてもよい。
【考案の効果】
【０００５】
本考案のごみ取り装置を用いれば、ごみ収集袋の中に溜まったごみを捨てる場合、開口底部を閉じている底閉じ具を外せば、ごみは落下して出て行くので、底閉じ具を外すだけで捨てることが出来る。そのため、ごみを捨てる度に、いちいちごみ収集袋をごみ取り本体に着脱しなくとも良くなるので、着脱作業に習熟しなくとも、あるいは手先が器用でない人でも、容易にごみを排出することが出来る。そして、ごみ収集袋をごみが満杯になる度に捨てることはしないから、資源の節約を図ることが出来る。
また、ごみ収集袋として、スーパーマーケットやコンビニエンスストア等の商店で買物をした際に、レジスター係の所で貰う、いわゆるレジ袋を利用することが出来るので、家庭で余っているレジ袋を無駄に廃棄してしまうことなく、有効にリサイクル使用することが可能となる。
【考案を実施するための最良の形態】
【０００６】
以下、本考案の実施形態を図面に基づいて詳細に説明する。
図１は、本考案のごみ取り装置の概要を示す図である。図１において、１はごみ取り装置、２はごみ取り本体、３は柄、４はごみ収集袋、５は底閉じ具、６はひも、７はひも取付部、２２は開口部である。ごみ取り本体２の底には、大きな開口部２２が開けられている。
本考案のごみ取り装置１は、ごみ取り本体２に、柄３とごみ収集袋４とを着脱自在に取り付けて構成する。即ち、ごみ取り本体２の底の開口部２２を袋の口が受けるような形で、ごみ収集袋４が取り外し自在に取り付けられる。
【０００７】
ごみ収集袋４は、後に図３で図示するように、底部が開口とされているが、底閉じ具５は、その開口を閉じるために袋の下部を縛る道具である。底閉じ具５は小さなものであり、独立した部品としておくと紛失し易いので、ひも６によってごみ取り本体２に取り付けておくのが望ましい。ひも取付部７は、ひも６の端部をごみ取り本体２に取り付ける部分である。  また、ごみ取り本体２の両側には、柄３の先端が着脱自在に係合される。
【０００８】
図２は、底閉じ具５を説明する図である。ここでは、底閉じ具５として面ファスナーを利用した例を示す。５１は底閉じ具５の表面、５２は裏面である。図２（１）は側面図であり、図２（２）は輪状に丸くして端部と端部とを係着した状態を示している。
面ファスナーは、周知のように、互いに絡んで係合する素材を表面に植設しておき、それらを押し当てて係着させる構造となっている。底閉じ具５に使用する面ファスナーとしては、図２（１）に示されるような、表面５１と裏面５２とに互いに絡んで係合する素材が表面に植設されているものを選定する。これを輪状に丸くして、一方の端部の表面と他方の端部の裏面とを押し当てれば、図２（２）に示されるように、輪状を保持する。
ごみ収集袋４の底部の開口は、袋の下部をこの底閉じ具５で小さく輪状に縛って閉じることが出来る。これにより、ごみ取り装置１に入れたごみを、袋中に保持しておくことが出来る。
【０００９】
図３は、取ったごみの捨て方を説明する図である。符号は図１のものに対応し、４５は開口底部、８はごみである。
ごみを捨てる時は、ごみ箱（図示せず）の上で、ごみ収集袋４の下部を縛っていた底閉じ具５を外す。底閉じ具５として面ファスナーを利用している場合、その係着をベリベリと外すだけでよいから、簡単に外すことが出来る。すると、ごみ収集袋４の中に溜まっていたごみ８は自重で落下し、下に置いてあるごみ箱に入って行く。
捨て終わったら、ごみ収集袋４の下部を再び底閉じ具５で縛って、開口底部４５を閉じる。この操作は底閉じ具５を輪状に係着するだけであるから、極めて簡単であり、格別の習熟など必要としないし、手先の器用でない人でも容易に行うことが出来る。
【００１０】
以下、本考案のごみ取り装置１の構成の仕方を、図４，図５により詳細に説明する。
図４は、ごみ取り本体へのごみ収集袋の取り付け方を説明する図である。符号は図１，図３のものに対応し、２１は掃込み案内部、２３は周壁部、２４，２５は係合穴、２Ａ，２Ｂ，２Ｃ，２Ｅ，２Ｆ，２Ｈは引っ掛け溝、２Ｄ，２Ｇは貫通孔、４１，４２は手提げ部、４３，４４は結び片である。
先ず、ごみ取り本体２の詳細な構造を説明する。掃込み案内部２１は、箒などで掃き込むごみを案内する部分であり、ほぼ長方形の平板とされている。周壁部２３は、上方から見ると長半円形状にぐるりと曲がった形状で、掃込み案内部２１の長手方向の両端間を連結するよう構成される。周壁部２３は、掃き込まれるごみに対して壁の役目を果たす必要があるから、掃込み案内部２１に対して直角の面とされる。そして、その高さは、掃込み案内部２１に近いところは低くされ、離れるほど高くされる。掃込み案内部２１と周壁部２３とで囲まれた部分には何もないことになるが、ここが開口部２２を形成している。
【００１１】
ごみ取り本体２の周壁部２３や掃込み案内部２１に設けられている引っ掛け溝２Ａ，２Ｂ，２Ｃ，２Ｅ，２Ｆ，２Ｈおよび貫通孔２Ｄ，２Ｇは、ごみ収集袋４をごみ取り本体２に、着脱自在に取り付けるためのものである。ごみ取り本体２の適宜箇所にひも取付部７を設け、そこに底閉じ具５を連結したひも６の端部を取り付けておく。
ごみ収集袋４にはビニル袋を用いるが、レジ袋を使用するのが好適である。なぜなら、一般家庭ではレジ袋が溜まって有り余っているのが実情であるが、それの有効利用（リサイクル使用）にもなるからである。ここでの説明でも、ごみ収集袋４としてレジ袋を使用した場合を例にとって説明する。
【００１２】
まず、レジ袋の底は鋏で切り、開口底部４５を形成しておく。レジ袋の口周辺には、図示するように、手を通すように輪状にされた手提げ部４１，４２と、中に入れた物が飛び出さないよう袋の口を閉じるための結び片４３，４４が設けられている。本考案では、これらを利用してごみ取り本体２に取り付ける。
即ち、次のような作業により取り付ける（順序はどれを先にしてもよい）。
（１）手提げ部４１の取付け…輪を左右に細長く扁平にし、ごみ取り本体２の周壁部２３の引っ掛け溝２Ａ，２Ｂに引っ掛ける。
（２）手提げ部４２の取付け…手提げ部４１と同様にして、引っ掛け溝２Ｅ，２Ｆに引っ掛ける。
（３）結び片４３の取付け…先ず掃込み案内部２１の貫通孔２Ｇに下から上へと通し、上に出た部分を引っ掛け溝２Ｈに押し込んで係止する。
（４）結び片４４の取付け…先ず周壁部２３の貫通孔２Ｄに背後から前へと通し、前に出た部分を引っ掛け溝２Ｃに押し込んで係止する。
【００１３】
このようにすれば、ごみ収集袋４の口が、ごみ取り本体２の開口部２２を下から受ける形で取り付けられる。ごみ収集袋４をごみ取り本体２から外すには、前記（１）〜（４）の作業を逆に行って手提げ部４１，４２，結び片４３，４４を外せばよく、容易に取り外すことが出来る。即ち、ごみ収集袋４のごみ取り本体２への着脱は、自在に出来る。
なお、ごみ取り本体２の周壁部２３の両側に開けられている係合穴２４，２５は、柄３を取り付けるための穴であり、その使い方は次の図５で説明する。
【００１４】
図５は、ごみ取り本体への柄の取り付け方を説明する図である。符号は図１，４のものに対応し、３１は柄本体、３２，３３は分岐部、３４，３５は係合端である。
柄３は、図示した形状に限られるわけではなく、１例を示したものである。手に持つ部分である柄本体３１は１本の棒状を成している。しかし、その先端付近では、分岐部３２，３３というように左右に分かれている。分岐部３２，３３は途中で折り曲げられ、その末端は、内側に向いた係合端３４，３５とされる。
【００１５】
柄３は、次のようにしてごみ取り本体２に取り付けられる。
（１）係合端３４の取付け…係合端３４を、ごみ取り本体２の一方の側壁に開けられた係合穴２４に係合する。
（２）係合端３５の取付け…分岐部３３を少し外側に引っ張り、係合端３５をごみ取り本体２の他方の側壁に開けられた係合穴２５に係合する。
係合させた係合端３４，３５は、分岐部３２，３３を左右に少し引っ張って間隔を広げることにより、容易に係合穴２４，２５から外すことが出来る。即ち、柄３のごみ取り本体２への着脱は、自在に出来る。
図４の如くしてごみ収集袋４が取り付けられたごみ取り本体２に対し、図５の如くして柄３を取り付けることにより、本考案のごみ取り装置は完成される。柄３の長さは、必要に応じて伸縮自在とすることも出来る。
【００１６】
次に、本考案のごみ取り装置の使い方について説明する。
掃き集めたごみをごみ取り装置１の中に取り込むには、先ず、通常のごみ取りで取る場合と同様に、掃込み案内部２１がごみの傍に位置するようごみ取り装置１を置く。そして、そのごみを、箒などで掃込み案内部２１の上を通って開口部２２のところへ掃き入れる。ごみ取り装置１を上に持ち上げると、開口部２２の位置にあるごみは、ごみ収集袋４の中に落下して収容される。
ごみ収集袋４の中のごみがまだ少量である間は、ごみを捨てに行く必要はないので、そのままの状態にしておく。ごみが溜まって来たら、ごみ箱の上でごみ収集袋４の開口底部４５を閉じている底閉じ具５を外し、中に溜まっていたごみをごみ箱の中に落下させる。中を空にした後、再びごみ収集袋４の底を底閉じ具５で閉じる。
こうして使っているうちに、ごみ収集袋４が破れたり汚れたりして来たら、新しいものと交換する。
【００１７】
従って、本考案によれば、ごみ収集袋４に溜まったごみを捨てるには、底閉じ具５を外すだけでよいから、操作に格別の習熟も必要としないし、手先が器用でない人でも容易に行うことが出来る。
また、ごみ収集袋４としてレジ袋を利用することが出来るので、家庭で余っているレジ袋を無駄に廃棄してしまうことなく、有効にリサイクル利用することが可能となる。更に、柄の長さを長くしておけば、ごみを取る時に腰をかがめる必要がなくなる。
なお上例では、底閉じ具５として面ファスナーを利用したものを示したが、ごみ収集袋４の開口底部４５を閉じるための道具としては、他にもいろいろ考えられる。例えば、単なるひもでもよい。ごみ収集袋４の下部を、ひもで縛ったり解いたりするのである。あるいはバネ付きのクリップでもよい。袋の中にごみが溜まると重みが大になるが、そのようになっても底が開かないようにしておくことが望まれるが、いろいろなものを実験してみたところ、やはり面ファスナーが一番具合がよいようである。
【図面の簡単な説明】
【００１８】
【図１】本考案のごみ取り装置の概要を示す図
【図２】底閉じ具を説明する図
【図３】取ったごみの捨て方を説明する図
【図４】ごみ取り本体へのごみ収集袋の取り付け方を説明する図
【図５】ごみ取り本体への柄の取り付け方を説明する図
【符号の説明】
【００１９】
１…ごみ取り装置、２…ごみ取り本体、３…柄、４…ごみ収集袋、５…底閉じ具、６…ひも、７…ひも取付部、８…ごみ、２１…掃込み案内部、２２…開口部、２３…周壁部、２４，２５…係合穴、２Ａ，２Ｂ，２Ｃ，２Ｅ，２Ｆ，２Ｈ…引っ掛け溝、２Ｄ，２Ｇ…貫通孔、３１…柄本体、３２，３３…分岐部、３４，３５…係合端、４１，４２…手提げ部、４３，４４…結び片、４５…開口底部、５１…表面、５２…裏面
【図１】
0003129497.tif 000003
【図２】
0003129497.tif 000004
【図３】
0003129497.tif 000005
【図４】
0003129497.tif 000006
【図５】
0003129497.tif 000007